(57)【要約】      （修正有）【課題】座席に座った場合におけるシートベルトの体への着脱が簡便にできるシートベルトパッドを提供する。【解決手段】シートベルトパッドＡはシートベルト１より幅広でシートベルトを上下から挟み込む二つ折りの柔軟性を有する発泡シート部材１０にて構成されている。本体部分１３の重ね合された内面にはシートベルトの幅方向外側においてシートベルトに沿うように面ファスナが縫着されている。耳部１４が、本体部分の折り畳み辺１０ａの反対側の重ね合せ辺１０ｂの一部に延出しており、この耳部を摘まむことにより、シートベルトの着脱が容易になる。【選択図】図１
0003187164.tif 000002
【実用新案登録請求の範囲】
【請求項１】
シートベルトより幅広にてシートベルトを上下から挟み込む二つ折りの柔軟性を有する発泡シート部材にて構成され、重ね合された発泡シート部材の内面にはシートベルトの幅方向の外側においてシートベルトに沿うようにマジックファスナが縫着された本体部分と、
本体部分の折り畳み辺の反対側の重ね合せ辺の一部に延出された耳部とで構成されたことを特徴とするシートベルトパッド。
【請求項２】
本体部分を二つ折りにした場合、両重ね合せ辺の互いに一致する場所に、耳部が延出されていることを特徴とする請求項１に記載のシートベルトパッド。
【考案の詳細な説明】
【技術分野】
【０００１】
本考案は、自動車のシートベルトに装着して使用されるシートベルトパッドに関する。
【背景技術】
【０００２】
交通事故事情の悲惨さを考慮し安全のために自動車にシートベルトの装備が義務化されるようになって久しい。しかしながら、シートベルトを着用すると衣服にシートベルトが擦れ、被服表面にテリができてその部分が光ったり、または、長時間の運転などをする場合には、シートベルトの圧迫により肩から胸にかけて血流が妨げられ、肩が凝るというような問題があった。そこでこのような問題を解決するために、以下のような提案がなされている（特許文献１，２）。
【先行技術文献】
【特許文献】
【０００３】
【特許文献１】実用新案登録第３０４９３２３号公報
【特許文献２】特開平０９−１４２２５０号公報
【考案の概要】
【考案が解決しようとする課題】
【０００４】
特許文献１に記載の考案は、シートベルトによる肩から腹部に掛けての締め付けの圧迫感、並びに、それに伴う肩凝りなど、そしてシートベルトと衣服などの接する面による擦れからくる皺およびテリを防止し、長距離の運転でもシートベルトが苦にならないようになる着脱自在なシートベルト覆い具に関するものである。
【０００５】
特許文献２に記載の発明も、シートベルト使用時に簡単に着脱できるカバーで、衣服の汚れを未然に防止すること、並びに、カバーの取付けと同時にシートベルトのドライバーへの締付力を調整して長時間の継続使用時におけるドライバーへの圧迫感を軽減することのできるようにしたシートベルト用のカバーである。
【０００６】
このように、シートベルト覆い具とかシートベルト用のカバーなどいろいろな名称で呼ばれている従来のシートベルトパッドは、何れもドライバーへの圧迫感の軽減や衣服へのダメージを解消しようとするものであり、座席に座った場合におけるシートベルト着脱の簡便化を狙ったものではなかった。
【０００７】
本考案は、シートベルトの着用による肩から腹部に掛けて締め付けられるための血液の軽い循環阻害や、これに伴う肩凝りを解消しようとすることは勿論であるが、主に、座席に座った場合におけるシートベルトの体への着脱の簡便化を目的とするシートベルトパッドを提供する。
【課題を解決するための手段】
【０００８】
請求項１は、シートベルト１より幅広にてシートベルト１を上下から挟み込む二つ折りの柔軟性を有する発泡シート部材１０にて構成され、重ね合された発泡シート部材１０の内面にはシートベルト１の幅方向の外側においてシートベルト１に沿うようにマジックファスナ１２が縫着された本体部分１３と、本体部分１３の折り畳み辺１０ａの反対側の重ね合せ辺１０ｂの一部に延出された耳部１４とで構成されたことを特徴とするシートベルトパッドＡである。
【０００９】
請求項２は、請求項１において、本体部分１３を二つ折りにした場合、両重ね合せ辺１０ｂの互いに一致する場所に、耳部１４が延出されていることを特徴とする。
【考案の効果】
【００１０】
本考案のシートベルトパッドＡは、柔軟性を有する発泡シート部材１０にて構成されているので、シートベルト１に装着した時、その弾力性により着用者の体にソフトにあたることになり、肩から胸にかけての血液の軽い循環阻害や、これに伴う長時間運転時における肩凝りを緩和或いは解消することができる。そして、折り畳み辺１０ａの反対側の重ね合せ辺１０ｂの一部には耳部１４が延出されているので、この耳部１４を摘まんで引っ張ればシートベルトパッドＡと共にシートベルト１が引っ張られ簡単にシートベルト１を緩めることができる。
【００１１】
また、耳部１４が両重ね合せ辺１０ｂの一致する場所に延出されているので、自動車の座席に取り付けられた左側からのシートベルト１や右側からのシートベルト１に対してひっくり返して取り付けることができるため、一つのシートベルトパッドＡで左右のシートベルト１に対応することができる。
【００１２】
そして、マジックファスナ１２がシートベルト１の外側にてシートベルト１に沿って設けられているので、シートベルト１をシートベルトパッドＡの全長に亘って強く挟み込むことができるようになるため、耳部１４を摘まんで引っ張ってもシートベルト１からシートベルトパッドＡがずれてしまうようなことはなくシートベルト１の操作性を高めることができる。
【図面の簡単な説明】
【００１３】
【図１】本考案をシートベルトに装着した状態の正面図である。
【図２】図１の拡大正面図である。
【図３】図１の展開正面図である
【図４】図１の耳部を含む位置の中央断面図である。
【考案を実施するための形態】
【００１４】
本考案の実施例について図面を参照して具体的に説明する。シートベルトパッドＡは、内部に柔軟且つ軽量な発泡シート２０、その表裏両面に織布（又は不織布）２１を一体的に貼り合せた素材が使用され、本体部分１３から耳部１４を含む周囲全周にテープ１１が縫着されている。シートベルトパッドＡの長方形の本体部分１３はシートベルト１より幅広で、長手方向中央に縫い目線１０ｃで形成した折り曲げ線でシートベルト１を上下から挟み込む二つ折りに構成され、発泡シート部材１０の重ね合される本体部分１３の内面にはシートベルト１の外側においてシートベルト１に沿うように細幅でマジックファスナ１２が長さ方向の全長に亘って縫着されている。マジックファスナ１２を構成するテープ部分には無数の鈎状係止毛と無数のループが混在して植設され、重ね合せると鈎状係止毛がループに鈎止して一体化する。
【００１５】
この本体部分１３の中央の折り曲げ線で二つ折りにした時、その折り曲げ辺を折り畳み辺１０ａとし、その反対側の辺を重ね合せ辺１０ｂとする。前記マジックファスナ１２はこの重ね合せ辺１０ｂの内側にて重ね合せ辺１０ｂに沿い、本体部分１３の全長に亘って縫着されることになる。そしてこの重ね合せ辺１０ｂの一部で折り畳んだ時に互いに一致する部分、図３の実施例では上端部分に半円状の耳部１４が本体部分１３の下半分から一体的に延出されている。換言すれば、耳部１４も内部に柔軟な発泡シート２０、その表裏両面に織布２１を一体的に貼り合せた素材が使用されている。そして、耳部１４には半円状の縫い目線が形成されている。
【００１６】
しかして、図２のようにシートベルト１を上下から挟むようにし、マジックファスナ１２をシートベルト１の幅方向の外側にてシートベルト１に沿って鈎止めし、シートベルトパッドＡをシートベルト１に取り付ける。マジックファスナ１２はシートベルト１の外縁に近接して鈎止めされるため、本体部分１３はシートベルト１を強く挟み付けてシートベルト１との間で大きな摩擦力が生じるため、シートベルトパッドＡの耳部１４を摘まんで引っ張ったとしてもシートベルト１との間でスリップを生じない。シートベルト１は自動車の運転席側と助手席側にそれぞれ対称に設けられているが、耳部１４が重ね合せ辺１０ｂの同じ部位に設けられているために、表裏ひっくり返してシートベルト１に装着すれば、１種類のシートベルトパッドＡで左右のシートベルトに対応することができる。図１，２では、耳部１４が本体部分１３の上側に位置されるようにシートベルト１に装着されている。勿論、反対側でもよい。
【００１７】
このようにシートベルト１に装着されているシートベルトパッドＡを利用してシートベルト１を用いる場合、車の座席に座り、耳部１４を摘まんでシートベルト１を引き出し、シートベルト１の金具（図示せず）を座席横の対応する受け金具（図示せず）に差し込んで固定する。そして、耳部１４を摘まんだ状態でシートベルト１を操作してその緩みを取り、体にフィットさせる。シートベルトパッドＡの上端部分は図１のように肩から上に少し飛び出し、耳部１４が胸に当たるような状態が最も好ましい設定位置である。
【００１８】
この状態では、胸から肩にかけてソフトなシートベルトパッドＡが接触しており、シートベルト１の締付力で体が締め付けられてもシートベルトパッドＡの発泡シート２０の弾力性と柔軟性が該締付力を吸収緩和し、体に対する圧迫力を大幅に和らげ、血液の循環を阻害せず、これによる肩凝りも生じさせない。
【００１９】
座席から離れる場合、胸の上に位置する耳部１４を摘まんでシートベルト１に沿って引っ張るとシートベルト１はシートベルトパッドＡにしっかりと保持された状態であるため、簡単に引き出され、シートベルト１を緩めることができる。
【符号の説明】
【００２０】
Ａ：シートベルトパッド，１：シートベルト，１０：発泡シート部材，１０ａ：折り畳み辺，１０ｂ：重ね合せ辺，１０ｃ；縫い目線，１１：テープ，１２：マジックファスナ，１３：本体部分，１４：耳部，２０：発泡シート，２１：織布。
【図１】
0003187164.tif 000003
【図２】
0003187164.tif 000004
【図３】
0003187164.tif 000005
【図４】
0003187164.tif 000006
【手続補正書】
【提出日】平成25年9月11日(2013.9.11)
【手続補正１】
【補正対象書類名】実用新案登録請求の範囲
【補正対象項目名】全文
【補正方法】変更
【補正の内容】
【実用新案登録請求の範囲】
【請求項１】
シートベルトより幅広にてシートベルトを上下から挟み込む二つ折りの柔軟性を有する発泡シート部材にて構成され、重ね合された発泡シート部材の内面にはシートベルトの幅方向の外側においてシートベルトに沿うように面ファスナが縫着された本体部分と、
本体部分の折り畳み辺の反対側の重ね合せ辺の一部に延出された耳部とで構成されたことを特徴とするシートベルトパッド。
【請求項２】
本体部分を二つ折りにした場合、両重ね合せ辺の互いに一致する場所に、耳部が延出されていることを特徴とする請求項１に記載のシートベルトパッド。
【手続補正２】
【補正対象書類名】明細書
【補正対象項目名】００１２
【補正方法】変更
【補正の内容】
【００１２】
そして、面ファスナ１２がシートベルト１の外側にてシートベルト１に沿って設けられているので、シートベルト１をシートベルトパッドＡの全長に亘って強く挟み込むことができるようになるため、耳部１４を摘まんで引っ張ってもシートベルト１からシートベルトパッドＡがずれてしまうようなことはなくシートベルト１の操作性を高めることができる。
【手続補正３】
【補正対象書類名】明細書
【補正対象項目名】００１４
【補正方法】変更
【補正の内容】
【００１４】
本考案の実施例について図面を参照して具体的に説明する。シートベルトパッドＡは、内部に柔軟且つ軽量な発泡シート２０、その表裏両面に織布（又は不織布）２１を一体的に貼り合せた素材が使用され、本体部分１３から耳部１４を含む周囲全周にテープ１１が縫着されている。シートベルトパッドＡの長方形の本体部分１３はシートベルト１より幅広で、長手方向中央に縫い目線１０ｃで形成した折り曲げ線でシートベルト１を上下から挟み込む二つ折りに構成され、発泡シート部材１０の重ね合される本体部分１３の内面にはシートベルト１の外側においてシートベルト１に沿うように細幅で面ファスナ１２が長さ方向の全長に亘って縫着されている。面ファスナ１２を構成するテープ部分には無数の鈎状係止毛と無数のループが混在して植設され、重ね合わせると鈎状係止毛がループに鈎止して一体化する。
【手続補正４】
【補正対象書類名】明細書
【補正対象項目名】００１６
【補正方法】変更
【補正の内容】
【００１６】
しかして、図２のようにシートベルト１を上下から挟むようにし、面ファスナ１２をシートベルト１の幅方向の外側にてシートベルト１に沿って鈎止めし、シートベルトパッドＡをシートベルト１に取り付ける。面ファスナ１２はシートベルト１の外縁に近接して鈎止めされるため、本体部分１３はシートベルト１を強く挟み付けてシートベルト１との間で大きな摩擦力が生じるため、シートベルトパッドＡの耳部１４を摘まんで引っ張ったとしてもシートベルト１との間でスリップを生じない。シートベルト１は自動車の運転席側と助手席側にそれぞれ対称に設けられているが、耳部１４が重ね合せ辺１０ｂの同じ部位に設けられているために、表裏ひっくり返してシートベルト１に装着すれば、１種類のシートベルトパッドＡで左右のシートベルトに対応することができる。図１，２では、耳部１４が本体部分１３の上側に位置されるようにシートベルト１に装着されている。勿論、反対側でもよい。
【手続補正５】
【補正対象書類名】明細書
【補正対象項目名】００２０
【補正方法】変更
【補正の内容】
【００２０】
Ａ：シートベルトパッド，１：シートベルト，１０：発泡シート部材，１０ａ：折り畳み辺，１０ｂ：重ね合せ辺，１０ｃ；縫い目線，１１：テープ，１２：面ファスナ，１３：本体部分，１４：耳部，２０：発泡シート，２１：織布。